(57)【要約】      （修正有）【課題】ノンスリップ性またはノンスキッド性を有する鋼板等の塗膜面を剥離する際、前記ノンスリップ性またはノンスキッド性を持たせるために塗膜材の中に含まれる材料の種類や性質により、剥離された被剥離材が飛散して、塗剥離装置の剥離室に相当する取替ケーシング部分に損傷を与え、取替ケーシング内部が摩耗や損傷を受けた際に剥離室に相当するケーシング部を新しいものと取替交換が出来るようにした塗膜剥離機を提供する。【解決手段】塗装下地面を移動する車輪と車輪のモーター駆動装置付きベース１の下に、内部に高圧水を回転しながら噴射して塗膜を剥がすスプレーバー１１を有し、剥がした塗膜や高圧水の飛散により損傷を受けて摩耗した際に、ベース１に新しいものを付け替えできるように、ねじ止めされて取り付けられたカップ状の塗膜剥離室を形成する取替式ケーシング２を有する。【選択図】図２
0003221211.tif 000002
【実用新案登録請求の範囲】
【請求項１】
ベースの下に取り付けられた鋼板塗膜装置の塗膜剥離部のケーシングが剥がされた被剥離材の飛散により摩耗した際に取り替えられ、前記ベースには、塗膜面に接して車輪が取りつけられ、前記車輪はモーターと連結されていることを特徴とする取替ケーシング（２）付き塗膜剥離装置
【考案の詳細な説明】
【技術分野】
【０００１】塗膜塗布された鋼板の塗膜剥離装置に関する。
【考案の概要】
【０００２】塗膜鋼板の表面を移動しながら塗膜の除去を行う際、被除去塗膜が摩耗性の砥粒を含んでいる際に、剥離されて飛散し、塗膜除去装置に当たって装置の一部に損傷を与える場合がある。
この際、その損傷を受けた剥離装置の一部を取替えることにより塗膜除去装置として再使用できる塗膜除去装置。
【考案が解決しようとする課題】
【０００３】剥離した砥粒等を含む被剥離材が飛散して塗膜除去装置に損傷を与えた場合に、その損傷を受けた部分を新しいものと交換して塗膜剥離装置として再使用できるようにする。
【課題を解決するための手段】
【０００４】塗膜剥離装置本体のベース（１）の下に摩耗または損傷を受けた際に取り外して取換え出来る取替ケーシング（２）を取りつける。  この取替ケーシング（２）は内部でウオータージェットがノズルより噴射されて塗膜を剥離する剥離室を構成しており、塗膜下地面に接してバキュームシール（１２）が上部のベース（１）との間にパッキン（３）を挟んで止めねじ（４）で取り付けられている。  当該取替ケーシング（２）は剥離した塗装剤を吸引するためバキュームが掛けられるように本体ベース（１）上部に内部が通じたバキューム吸引口（９）に通じている。尚、バキュームシール（１２）はバキュームシール締め付け具（１３）により取替ケーシング（２）の下部に塗膜した地面に接して取り付けられる。超高圧のウオータージェットはホースにより本体ベース中心部に取り付けられたスイーベル（８）に供給され剥離室内部のスプレーバー（１１）に供給される。
スプレーバー（１１）は複数個のノズルが噴射角度に傾きを与えられて取り付けられている。  そのため噴射反力にて回転して下地塗膜に塗布された塗膜を剥離する。
本体のベース（１）には２台のモーター（５）が取り付けられており、４ケ車輪塾受（１０）と２連のチェーン（７）の伝動装置を介して４ケの車輪（６）に回転力が伝えられ塗装下地面上を移動する。
尚、作業時の利便性から本体ベースの上部にハンドルを取りつけることも出来る。
【考案の効果】
【０００５】（１）  本体剥離装置を表す平面図１のＸ−Ｙ断面図をあらわす図２に於て、塗装下地面に摩耗性を有する被剥離材が塗布された面を剥離する際に、それが剥離されて飛散して周りにある取替ケーシング（２）を摩耗させて損傷を与えることがあり、使用に耐えなくなった際に前記取替ケーシング（２）を新しいものと取替ることにより再使用することが出来る。
（２）  この際、ケーシング（２）内部にあるスプレーバー（１１）はスイーベル（８）の下部より取り外し、更に当該取替ケーシング（２）の上部にあるベース上の止めねじ（４）の４本を取り外すことにより本体のベース（１）よりと取外される。又、剥離室に相当する取替ケーシング（２）内部のバキュームを維持してバキューム吸引口（９）よりバキューム吸引するためにベース（１）下部に取り付けられているケーシング（２）の間にはパッキング（３）がある。
（３）  取替ケーシング（２）の下部円周部には、やはりケーシング（２）内部のバキュームを維持するため円周上にバキュームシール（１２）が塗膜下地面に接してバキュームシール締付具（１３）にて固定されている。
（４）  ベース（１）の上部には２台のモーター（５）が取付けられ、ベース下部のコーナーに取り付けられた４ケの車輪軸受（１０）及び２連のチェーン（７）を介して左右２台ずつ計４ケの車輪（６）に連結されている。  又、４ケの車輪（６）の下面は塗膜下地面に接している。
本体のベース（１）の上部には取り扱いを便利にするためハンドルを取り付けたり、又、そのハンドルにモーター（５）のための操作ボックスを取りつけることも出来る。
【考案の実施例】
【０００６】（１）［考案の実施例］については前項と同様［課題を解決するための手段］並びに［考案の効果］のところに詳述しているので参照願います。
【産業上の利用分野】
【０００７】ノンスキッドまたはノンスリップの甲板を持つ艦船や船舶の塗膜剥離や補修
【図面の簡単な説明】
【０００８】
【図１】図１は本考案の平面図
【図２】図２は図１に示した本考案品の中心部のＸＹ断面図
【図３】図３は本考案の立面図
【図４】図４は図２におけるベース（１）と取替ケーシング（２）との間に挟まって位置するパッキン（３）とその下に接して位置する取替ケーシング（２）の上部接触部の断面の一部の拡大図をあらわす。
【図５】図５はパッキン（３）のベース（１）側に接する面に空けられた穴の状態をあらわす。
【図６】図６は取替ケーシング（２）のパッキン（３）の側に接する面に開けられた穴の状態をあらわす。
【符号の説明】
【０００９】（１）はベース
（２）は取替ケーシング
（３）はパッキン
（４）は止めねじ（４ケ）
（５）はモーター（２台）
（６）は車輪（４ケ】
（７）はチェーン（２連）
（８）はスイーベル
（９）バキューム吸引口
（１０）は車輪軸受け（４ケ）
（１１）はスプレーバー
（１２）はバキュームシール
（１３）はバキュームシール締め付け具
【図１】
0003221211.tif 000003
【図２】
0003221211.tif 000004
【図３】
0003221211.tif 000005
【図４】
0003221211.tif 000006
【図５】
0003221211.tif 000007
【図６】
0003221211.tif 000008
【手続補正書】
【提出日】平成31年2月20日(2019.2.20)
【手続補正１】
【補正対象書類名】実用新案登録請求の範囲
【補正対象項目名】全文
【補正方法】変更
【補正の内容】
【実用新案登録請求の範囲】
【請求項１】
塗装下地面を移動する車輪と車輪のモーター駆動装置付きベース（１）の下に、内部に高圧水を回転しながら噴射して塗膜を剥がすスプレーバー（１１）を有し、剥がした塗膜や高圧水の飛散により損傷を受けて摩耗した際に、前記ベースに新しいものを付け替えできるように、ねじ止めされて取り付けられたカップ状の塗膜剥離室を形成する取替式ケーシング（２）を有することを特徴とする鋼板の塗膜剥離装置。